【手続補正書】
【提出日】平成30年1月16日(2018.1.16)
【手続補正１】
【補正対象書類名】特許請求の範囲
【補正対象項目名】全文
【補正方法】変更
【補正の内容】
【特許請求の範囲】
【請求項１】
フォーカスが合った奥行き方向の位置であるフォーカス位置を撮影後に変更可能な画像を取得する画像取得手段と、
前記画像を閲覧するユーザに対応する識別情報を取得する情報取得手段と、
前記画像において前記識別情報に対応するユーザの画像が含まれている第１領域を特定する特定手段と、
前記第１領域における前記フォーカス位置が前記ユーザの奥行き方向の位置である第１位置に設定され、かつ前記第１領域以外の第２領域におけるフォーカス位置が前記第１位置とは異なる第２位置に設定されたリフォーカス画像データを生成する生成手段と、
前記生成手段により生成された前記リフォーカス画像データを出力する出力手段と、
を有することを特徴とする画像処理装置。
【請求項２】
前記画像取得手段は、前記フォーカス位置のデフォルト位置を示すデフォルト位置情報をさらに取得し、
前記生成手段は、前記特定手段が特定した前記第１領域における前記フォーカス位置を、前記デフォルト位置から前記ユーザの奥行き方向の位置に変更し、かつ前記第２領域における前記フォーカス位置を、前記第２位置としての前記デフォルト位置に維持することにより前記リフォーカス画像データを生成することを特徴とする、
請求項１に記載の画像処理装置。
【請求項３】
前記生成手段は、前記第２領域においてフォーカスが合っている被写体が含まれる領域における前記フォーカス位置を前記デフォルト位置に維持することを特徴とする、
請求項２に記載の画像処理装置。
【請求項４】
前記生成手段は、前記特定手段が、前記ユーザの画像が含まれている前記第１領域を特定できない場合、前記デフォルト位置を前記フォーカス位置とする前記リフォーカス画像データを生成することを特徴とする、
請求項２又は３に記載の画像処理装置。
【請求項５】
前記情報取得手段は、前記出力手段が、前記フォーカス位置を前記デフォルト位置とした状態の前記画像を前記ユーザの端末へと出力した後に、前記ユーザの端末から、前記第１領域における前記フォーカス位置を前記第１位置に変更する指示を取得し、
前記生成手段は、前記指示に基づいて前記リフォーカス画像データを生成することを特徴とする、
請求項２から４のいずれか１項に記載の画像処理装置。
【請求項６】
前記情報取得手段は、前記画像取得手段が取得した前記画像の全体の前記フォーカス位置を前記デフォルト位置から前記ユーザの位置に変更するか、前記第１領域の前記フォーカス位置を選択的に前記ユーザの位置に変更するかの指示を取得し、
前記生成手段は、当該指示に基づいて前記フォーカス位置が変更された前記リフォーカス画像データを生成することを特徴とする、
請求項２から５のいずれか１項に記載の画像処理装置。
【請求項７】
前記特定手段は、前記ユーザと所定の関係がある被写体の画像が含まれている前記第２領域を特定し、
前記生成手段は、前記特定手段により特定された前記第２領域における前記フォーカス位置が前記ユーザと所定の関係がある被写体の奥行き方向の前記第２位置に設定されたリフォーカス画像データを生成することを特徴とする、
請求項２から６のいずれか１項に記載の画像処理装置。
【請求項８】
フォーカスが合った奥行き方向の位置であるフォーカス位置を撮影後に変更可能な画像を取得する画像取得ステップと、
前記画像を閲覧するユーザに対応する識別情報を取得する情報取得ステップと、
前記画像において前記識別情報に対応するユーザの画像が含まれている第１領域を特定する特定ステップと、
特定した前記第１領域における前記フォーカス位置が前記ユーザの奥行き方向の位置である第１位置に設定され、かつ前記第１領域以外の第２領域におけるフォーカス位置が前記第１位置とは異なる第２位置に設定されたリフォーカス画像データを生成する生成ステップと、
生成された前記リフォーカス画像データを出力する第１出力ステップと、
を有することを特徴とする画像処理方法。
【請求項９】
前記情報取得ステップにおいて、前記フォーカス位置のデフォルト位置を示すデフォルト位置情報をさらに取得し、
前記生成ステップにおいて、前記第１領域における前記フォーカス位置を、前記デフォルト位置から前記ユーザの奥行き方向の位置に変更し、かつ前記第２領域における前記フォーカス位置を、前記第２位置としての前記デフォルト位置に維持することにより前記リフォーカス画像データを生成することを特徴とする、
請求項８に記載の画像処理方法。
【請求項１０】
前記生成ステップにおいて、前記第２領域においてフォーカスが合っている被写体が含まれる領域における前記フォーカス位置を前記デフォルト位置に維持することを特徴とする、
請求項９に記載の画像処理方法。
【請求項１１】
前記特定ステップにおいて、前記ユーザの画像が含まれている前記第１領域を特定できない場合、前記生成ステップにおいて、前記デフォルト位置を前記フォーカス位置とする前記リフォーカス画像データを生成することを特徴とする、
請求項９又は１０に記載の画像処理方法。
【請求項１２】
前記フォーカス位置を前記デフォルト位置とした状態の前記画像を前記ユーザの端末へと出力する第２出力ステップと、
前記第２出力ステップの後に、前記ユーザの端末から、前記第１領域における前記フォーカス位置を前記第１位置に変更する指示を取得する第１指示取得ステップと、
を有し、
前記生成ステップにおいて、前記指示に基づいて前記リフォーカス画像データを生成することを特徴とする、
請求項９から１１のいずれか１項に記載の画像処理方法。
【請求項１３】
前記画像取得ステップにおいて取得した前記画像の全体の前記フォーカス位置を前記デフォルト位置から前記ユーザの位置に変更するか、前記第１領域の前記フォーカス位置を選択的に前記ユーザの位置に変更するかの指示を取得する第２指示取得ステップと、
前記生成するステップにおいて、前記第２指示取得ステップにおいて取得した指示に基づいて前記フォーカス位置が変更された前記リフォーカス画像データを生成することを特徴とする、
請求項９から１２のいずれか１項に記載の画像処理方法。
【請求項１４】
前記特定するステップにおいて、前記ユーザと所定の関係がある被写体の画像が含まれている前記第２領域を特定し、
前記生成するステップにおいて、前記特定するステップにおいて特定された前記第２領域における前記フォーカス位置が前記ユーザと所定の関係がある被写体の奥行き方向の前記第２位置に設定されたリフォーカス画像データを生成することを特徴とする、
請求項８から１３のいずれか１項に記載の画像処理方法。
【請求項１５】
コンピュータに、
フォーカスが合った奥行き方向の位置であるフォーカス位置を撮影後に変更可能な画像を取得する画像取得ステップと、
前記画像を閲覧するユーザに対応する識別情報を取得する情報取得ステップと、
前記画像において前記識別情報に対応するユーザの画像が含まれている第１領域を特定する特定ステップと、
特定した前記第１領域における前記フォーカス位置が前記ユーザの奥行き方向の位置である第１位置に設定され、かつ前記第１領域以外の第２領域におけるフォーカス位置が前記第１位置とは異なる第２位置に設定されたリフォーカス画像データを生成する生成ステップと、
生成された前記リフォーカス画像データを出力する第１出力ステップと、
を実行させることを特徴とする画像処理用プログラム。
【手続補正２】
【補正対象書類名】明細書
【補正対象項目名】０００６
【補正方法】変更
【補正の内容】
【０００６】
上記の課題を解決するために、本発明の画像処理装置は、フォーカスが合った奥行き方向の位置であるフォーカス位置を撮影後に変更可能な画像を取得する画像取得手段と、前記画像を閲覧するユーザに対応する識別情報を取得する情報取得手段と、前記画像において前記識別情報に対応するユーザの画像が含まれている第１領域を特定する特定手段と、前記第１領域における前記フォーカス位置が前記ユーザの奥行き方向の位置である第１位置に設定され、かつ前記第１領域以外の第２領域におけるフォーカス位置が前記第１位置とは異なる第２位置に設定されたリフォーカス画像データを生成する生成手段と、前記生成手段により生成されたリフォーカス画像データを出力する出力手段と、を有することを特徴とする。